(57)【要約】【課題】  データ受信をトリガーとして印刷装置の電源がＯＮする場合よりも、実際に印刷が行われるまでのタイムラグを少なくすることができ、また、電源ＯＦＦするタイミングを取る必要がない印刷装置を提供することを目的とするものである。【解決手段】  印刷エンジン部とは独立して動作し、Ｂｌｕｅｔｏｏｔｈ接続を検知し、エンジン部に通知し、しかも、Ｂｌｕｅｔｏｏｔｈ切断を検知し、上記印刷エンジン部に通知するＢｌｕｅｔｏｏｔｈモジュールと、上記Ｂｌｕｅｔｏｏｔｈモジュールからの接続通知を受けて、印刷装置の電源を自動的にＯＮし、しかも、上記Ｂｌｕｅｔｏｏｔｈモジュールからの切断通知を受けて、印刷装置の電源をＯＦＦする電源ＯＮ／ＯＦＦ手段とを有することを特徴とする印刷装置である。【選択図】  図１
2005161655.tif 000002
【特許請求の範囲】
【請求項１】
無線通信部と、
上記無線通信部からの無線接続状態を受けて、印刷部の電源制御を行う電源制御手段と、
を有することを特徴とする印刷装置。
【請求項２】
請求項１において、
上記電源制御手段は、上記無線通信部から無線接続通知を受けると、上記印刷部の電源をＯＮすることを特徴とする印刷装置。
【請求項３】
請求項１において、
上記電源制御手段は、上記無線通信部から無線切断通知を受けると、上記印刷部の電源をＯＦＦすることを特徴とする印刷装置。
【請求項４】
請求項１において、
上記無線通信部からの無線接続通知を受けて、鳴動する鳴動手段を有することを特徴とする印刷装置。
【請求項５】
無線通信部から受けた無線接続状態を判別する判別手段と、
上記判別手段による判別に応じて、印刷部の電源制御を行う電源制御手段を有することを特徴とする印刷装置。
【請求項６】
無線通信部から受けた無線接続状態を判別する判別工程と、
上記判別工程における判別に応じて、印刷部の電源制御を行う電源制御工程と、
を有することを特徴とする印刷装置の制御方法。
【発明の詳細な説明】
【技術分野】
【０００１】
本発明は、Ｂｌｕｅｔｏｏｔｈ通信等の無線通信可能な印刷装置およびその制御方法に関するものである。
【背景技術】
【０００２】
従来の印刷装置には、自動電源ＯＮ／ＯＦＦ機能を備えている印刷装置が存在している。この従来装置は、ネットワークを介して印刷用のデータを受信した時点で、電源がＯＮになる。また、印刷を終了してから予め定められた時間が経過したときに、電源が自動的にＯＦＦする（たとえば、特許文献１参照）。
【０００３】
また、従来の印刷装置では、内蔵しているＬＥＤの点灯または点滅によって、データを受信したことと、印刷終了とをユーザに通知する。
【特許文献１】特開平０９−０８１３３９号公報
【発明の開示】
【発明が解決しようとする課題】
【０００４】
従来の印刷装置は、データの受信をトリガーとして、電源がＯＮされるので、印刷データを実際に受信した後に、電源ＯＮの初期化シーケンスを実行する。したがって、印刷を指示してから印刷までの間に、タイムラグが発生するという問題がある。
【０００５】
また、データ受信がなくなったことをトリガーとして、電源がＯＦＦされるので、電源をＯＦＦする場合、これ以上データが送信されないことを判定する必要があり、自動電源ＯＦＦのタイミングをとることが困難であるという問題がある。
【０００６】
本発明は、印刷装置の電源制御を迅速に行うことを目的とする。
【０００７】
また、本発明は、データ受信をトリガーとして印刷装置の電源がＯＮする場合よりも、実際に印刷が行われるまでのタイムラグを少なくすることができるようにすることを目的とする。
【０００８】
また、本発明は、無線接続がされていることを、ＬＥＤ等によって通知する場合よりも、無線接続されていることを明確に通知できるようにすることを目的とする。
【課題を解決するための手段】
【０００９】
本発明は、無線通信部と、上記無線通信部からの無線接続状態を受けて、印刷部の電源制御を行う電源制御手段を有することを特徴とする印刷装置である。
【００１０】
また、無線通信部から受けた無線接続状態を判別する判別手段と、上記判別手段による判別に応じて、印刷部の電源制御を行う電源制御手段を有することを特徴とする印刷装置である。
【００１１】
また、無線通信部から受けた無線接続状態を判別する判別工程と、上記判別工程における判別に応じて、印刷部の電源制御を行う電源制御工程を有することを特徴とする印刷装置の制御方法である。
【発明の効果】
【００１２】
本発明によれば、実際に印刷が行われるまでのタイムラグを少なくすることができる。また、無線が切断されると電源ＯＦＦするので、データを受信しないタイミングを簡単に判別できる。
【００１３】
また、無線接続がされていることを、ブザーの鳴動によってユーザに通知するので、ＬＥＤ等による通知に比べて、明確に通知することができる。したがって、遠隔操作が行われる印刷装置がどこにあっても、印刷準備ができていることを認識しやすいという効果を奏する。
【発明を実施するための最良の形態】
【００１４】
発明を実施するための最良の形態は次の実施例である。
【実施例１】
【００１５】
図１は、本発明の実施例１である印刷装置Ｐ１を示すブロック図である。
【００１６】
印刷装置１は、Ｂｌｕｅｔｏｏｔｈモジュール１０と、ＣＰＵ２０と、印字機構３０と、通知受信手段４０とを有する。
【００１７】
Ｂｌｕｅｔｏｏｔｈモジュール１０は、ＲＦ部１１と、ＢａｓｅＢａｎｄ処理部１２と、接続／切断通知手段１３とを有し、Ｂｌｕｅｔｏｏｔｈ通信によりホスト装置との無線通信を行う。
【００１８】
ＢａｓｅＢａｎｄ処理部１２は、Ｂｌｕｅｔｏｏｔｈの接続／切断検知手段１２１を持ち、接続／切断通知手段１３を用いて、Ｂｌｕｅｔｏｏｔｈの接続／切断を、ＣＰＵ２０に通知する。
【００１９】
ＣＰＵ２０は、印刷エンジン部の一例であり、通知受信手段４０を用いて、Ｂｌｕｅｔｏｏｔｈモジュール１０からの接続／切断通知を受信する。また、ＣＰＵ２０は、上記接続／切断通知をトリガーとして、Ｓｌｅｅｐ状態から立ち上がる。
【００２０】
さらに、ＣＰＵ２０は、Ｂｌｕｅｔｏｏｔｈモジュールからの接続通知を受けて、印刷装置の電源を自動的にＯＮし、しかも、Ｂｌｕｅｔｏｏｔｈモジュールからの切断通知を受けて、印刷装置の電源をＯＦＦする電源ＯＮ／ＯＦＦ手段の例である。
【００２１】
通知受信手段４０は、ＣＰＵ２０の外部の電気的ロジック等によって構成されている。
【００２２】
次に、上記実施例の動作について説明する。
【００２３】
図２は、印刷装置Ｐ１の動作を示すフローチャートである。
【００２４】
ここで、ＣＰＵ２０は、Ｓｔａｒｔ時点で、Ｓｌｅｅｐ状態または起動状態にあり、印刷装置Ｐ１は、Ｂｌｕｅｔｏｏｔｈからの自動電源ＯＮ／ＯＦＦ機能を利用するように設定され、ＣＰＵ２０、印字機構３０の電源の状態にかかわらず、Ｂｌｕｅｔｏｏｔｈモジュール１０の電源と通知受信手段４０の電源とは、常に入っているとする。
【００２５】
まず、印刷装置Ｐ１は、Ｂｌｕｅｔｏｏｔｈモジュール１０からの通知を、通知受信手段４０によって受信する（Ｓ１）。
【００２６】
この通知の内容を、通知受信手段４０が同時に判別する。受信した通知が接続通知であれば（Ｓ２）、続いて、ＣＰＵ２０が起動状態にあるかどうかを、通知受信手段４０が判定する（Ｓ３）。
【００２７】
ＣＰＵ２０が起動状態にあれば、ＣＰＵ２０は、既にデータ受信待ち状態であり（Ｓ７）、Ｂｌｕｅｔｏｏｔｈモジュール１０から送られてくる印刷データを受信し、印刷する状態にある。
【００２８】
逆に、ＣＰＵ２０が起動状態になければ、通知受信手段４０は、ＮＭＩ等の手法を用いて、ＣＰＵ２０を起動するためにトリガーをかける（Ｓ４）。ＣＰＵ２０は、起動すると、続けて、印字機構３０の電源を投入し（Ｓ５）、印刷のために必要な初期化処理を実行する（Ｓ６）。そして、Ｂｌｕｅｔｏｏｔｈモジュール１０から送られてくる印刷データを受信待ちする状態へ移行する（Ｓ７）。
【００２９】
一方、通知受信手段４０による判別の結果、通知が切断通知であれば（Ｓ８）、続いて、ＣＰＵ２０が起動状態にあるかどうかを判定する（Ｓ９）。ＣＰＵ２０が起動状態になければ、上記切断通知を無視し、起動状態であれば、ＣＰＵ２０は、印刷装置Ｐ１の終了処理を行う（Ｓ１０）。
【００３０】
その後、印字機構３０の電源をＯＦＦし（Ｓ１１）、ＣＰＵ２０が、自らＳｌｅｅｐ状態に移行する（Ｓ１２）。そして、その後の接続通知を待つ。
【００３１】
上記のように、Ｂｌｕｅｔｏｏｔｈからの接続をトリガーとして、印刷装置Ｐ１の自動電源をＯＮするので、データ受信の前に、初期化処理が予め行われ、実際の印刷の際に、初期化のための待ち時間なしで、印刷を開始することができる。
【００３２】
また、Ｂｌｕｅｔｏｏｔｈからの切断をトリガーとして、印刷装置Ｐ１の電源を自動的にＯＦＦするので、印刷装置Ｐ１の電源を、無用に入れておく必要がなく、また、その動作の仕様が、ユーザにとって非常に分かりやすい。
【実施例２】
【００３３】
図３は、本発明の実施例２である印刷装置Ｐ２を示すブロック図である。
【００３４】
印刷装置Ｐ２は、基本的には、印刷装置Ｐ１と同じであり、印刷装置Ｐ１に、鳴動装置５０が設けられている点のみが、印刷装置Ｐ１とは異なる。
【００３５】
鳴動装置５０は、ＣＰＵ２０からの制御によって鳴動する装置である。
【００３６】
次に、印刷装置Ｐ２の動作について説明する。
【００３７】
図４は、印刷装置Ｐ２の動作を示すフローチャートである。
【００３８】
印刷装置Ｐ２の動作は、基本的には、図２に示すフローチャートと同じであり、Ｓ６とＳ７との間に、鳴動装置５０が鳴動する動作（Ｓ２１）が挿入されている点のみが、図２に示すフローチャートとは異なる。
【００３９】
つまり、印刷装置Ｐ２は、まずＢｌｕｅｔｏｏｔｈモジュール１０からの接続通知を受け（Ｓ１、Ｓ２）、ＣＰＵ２０の状態によって適宜起動処理を行う（Ｓ３、Ｓ４、Ｓ５、Ｓ６）。その後、印刷装置Ｐ２がデータ受信状態に入ったことをユーザに通知するために、鳴動装置５０が鳴動する（Ｓ２１）。そして、データ受信待ち状態になる（Ｓ７）。
【００４０】
印刷装置Ｐ２によれば、Ｂｌｕｅｔｏｏｔｈからの接続通知を受けて、鳴動装置５０を鳴動することによって、印刷準備ができていることをユーザに通知することができ、また、選択された印刷装置が、ユーザが接続対象として選択した印刷装置Ｐ２であることを通知することができる。
【００４１】
上記実施例によれば、印刷を指示した段階で印刷装置Ｐ１、Ｐ２の電源がＯＮするので、実際に印刷が行われるまでのタイムラグは、データ受信をトリガーとする場合と比較して最小限に抑えられる。また、ユーザの印刷が終了となった時点で、印刷装置Ｐ１、Ｐ２の電源がＯＦＦするので、電源をＯＦＦするタイミングを取る必要がない。
【００４２】
また、印刷装置Ｐ２によれば、Ｂｌｕｅｔｏｏｔｈ接続がされていることをユーザへ通知する場合、ブザーを鳴動してユーザに通知するので、印刷装置がどこにあるのか分かりづらい場合でも、Ｂｌｕｅｔｏｏｔｈ接続を、ユーザに明確に通知することができる。
【図面の簡単な説明】
【００４３】
【図１】本発明の実施例１である印刷装置Ｐ１を示すブロック図である。
【図２】印刷装置Ｐ１の動作を示すフローチャートである。
【図３】本発明の実施例２である印刷装置Ｐ２を示すブロック図である。
【図４】印刷装置Ｐ２の動作を示すフローチャートである。
【符号の説明】
【００４４】
Ｐ１、Ｐ２…印刷装置、
１０…Ｂｌｕｅｔｏｏｔｈモジュール、
１１…ＲＦ部、
１２…Ｂｌｕｅｔｏｏｔｈ処理部、
１２１…接続／切断検知手段、
１３…接続／切断通知手段、
２０…ＣＰＵ、
３０…印字機構、
４０…通知受信手段、
５０…鳴動装置。
【図１】
2005161655.tif 000003
【図２】
2005161655.tif 000004
【図３】
2005161655.tif 000005
【図４】
2005161655.tif 000006